(57)【要約】【課題】  部品点数及び組み付け工数の削減と周波数特性の向上とを図ることが可能なレセプタクルタイプの同軸コネクタを提供する。【解決手段】  同軸コネクタ２１は、レセプタクルタイプとなるコネクタであって、奥壁２２にインシュレータ２３を一体に有するアウターハウジング２４、インシュレータ２３の中央に取り付けられるインナーターミナル２５、及びインシュレータ２３の周囲に取り付けられるシールドターミナル２６の三つの構成部材で構成する。その他、シールドターミナル２６の固定用脚部２６ｂを圧入構造とし、また、インシュレータ２３と奥壁２２とを繋ぐ連結部３７を、インシュレータ２３の周囲に略均等に配置形成する。【選択図】    図１
2005285553.tif 000002
【特許請求の範囲】
【請求項１】
同軸ケーブルの端末に設けられる相手側同軸コネクタを嵌合させて電気的な接続を行う同軸コネクタであって、アウターハウジングとインナーターミナルとシールドターミナルとインシュレータとを有するレセプタクルタイプの同軸コネクタにおいて、
合成樹脂製の前記アウターハウジングの奥壁に、前記インナーターミナルを取り付ける前記インシュレータを一体に形成し、該インシュレータの周囲には、前記シールドターミナルの外部接続端子及び固定用脚部を差し込むための複数の貫通孔を形成する
ことを特徴とする同軸コネクタ。
【請求項２】
請求項１に記載の同軸コネクタにおいて、
前記固定用脚部を、前記貫通孔に対して圧入する構造とする
ことを特徴とする同軸コネクタ。
【請求項３】
請求項１又は請求項２に記載の同軸コネクタにおいて、
前記貫通孔同士の間に存する連結部を、前記インシュレータの周囲に略均等に配置形成する
ことを特徴とする同軸コネクタ。
【発明の詳細な説明】
【技術分野】
【０００１】
本発明は、同軸ケーブルの端末に設けられる相手側同軸コネクタを嵌合させて電気的な接続を行うレセプタクルタイプの同軸コネクタに関する。
【背景技術】
【０００２】
高周波の電気信号を伝送するために高周波対応の同軸ケーブルが用いられている。また、その同軸ケーブルの端末には、プラグタイプの同軸コネクタが設けられている。プラグタイプの同軸コネクタは、基板に取り付けられるレセプタクルタイプの同軸コネクタと電気的に接続されるようになっている。
【０００３】
上記プラグタイプの同軸コネクタ１は、図４に示されるように、同軸ケーブル２の内部導体３に接続されるインナーターミナル４と、同軸ケーブル２の外部導体５に接続されるシールドターミナル６と、これらの間に位置するインシュレータ７とを備えて構成されている。一方、上記同軸コネクタ１が嵌合するレセプタクルタイプの同軸コネクタ８は、図５に示されるように、インナーターミナル９とインシュレータ１０とシールドターミナル１１とアウターハウジング１２とシールド部材１３とを備えて構成されている（例えば特許文献１参照）。
【０００４】
インナーターミナル９は、前方接続部９ａと後方接続部９ｂとを有しており、前方接続部９ａを介して上記同軸コネクタ１のインナーターミナル４に、また、後方接続部９ｂを介してプリント基板１４の回路１４ａに接続されるようになっている。インシュレータ１０は、絶縁材料により成形されている。また、インシュレータ１０は、アウターハウジング１２と別体に設けられている。インシュレータ１０は、インナーターミナル９とシールドターミナル１１との間に組み付けられて、これらを絶縁状態にする機能を有している。シールドターミナル１１は、中空形状に形成されており、その内部後方には、上述の如くインシュレータ１０が収容されるようになっている。また、シールドターミナル１１の内部前方には、上記同軸コネクタ１のシールドターミナル６が差し込まれるようになっている。
【０００５】
アウターハウジング１２は、合成樹脂材料により成形されている。また、アウターハウジング１２は、略直方体形状に形成されている。アウターハウジング１２の前方には、上記同軸コネクタ１を差し込み可能とする開口部が形成されている。アウターハウジング１２の後方には、インナーターミナル９とインシュレータ１０とシールド部材１３とを取り付けたシールドターミナル１１を差し込み可能とする開口部１２ａが形成されている。シールド部材１３は、導電性を有しており、シールドターミナル１１の後方を覆うような大きさに形成されている。また、シールド部材１３は、プリント基板１４のグランド部１４ｂ、１４ｂに接続される接続部１３ａ、１３ａを有している。
【０００６】
尚、上記レセプタクルタイプの同軸コネクタ８は、プリント基板１４の凹部１４ｃに対して差し込まれるような状態で取り付けられるコネクタであり、プリント基板１４への接続に関して高さ方向の制約がない場合には、図６に示されるような同軸コネクタ８′も用いることができるようになっている。同軸コネクタ８′は、その構成の一つのインナーターミナル９′の後方接続部９′ｂがプリント基板の回路に向けてＬ字状に折り曲げられている。また、シールド部材１３′の接続部１３′ａ、１３′ａが上記接続部１３ａ、１３ａとは異なる下方位置から突出するように形成されている。
【特許文献１】特開２００２−３３１６１号公報
【発明の開示】
【発明が解決しようとする課題】
【０００７】
ところで、上記レセプタクルタイプの同軸コネクタ８（８′）にあっては、部品点数が多いという問題点を有している。これにより、組み付け工数が掛かるとともに、寸法公差の積み上げによってはアウターハウジング１２とインナーターミナル９との位置ズレが大きくなり、周波数特性に影響を来すという問題点を有している。
【０００８】
本発明は、上述した事情に鑑みてなされるもので、部品点数及び組み付け工数の削減と周波数特性の向上とを図ることが可能なレセプタクルタイプの同軸コネクタを提供することを課題とする。
【課題を解決するための手段】
【０００９】
上記課題を解決するためなされた請求項１記載の本発明の同軸コネクタは、同軸ケーブルの端末に設けられる相手側同軸コネクタを嵌合させて電気的な接続を行う同軸コネクタであって、アウターハウジングとインナーターミナルとシールドターミナルとインシュレータとを有するレセプタクルタイプの同軸コネクタにおいて、合成樹脂製の前記アウターハウジングの奥壁に、前記インナーターミナルを取り付ける前記インシュレータを一体に形成し、該インシュレータの周囲には、前記シールドターミナルの外部接続端子及び固定用脚部を差し込むための複数の貫通孔を形成することを特徴としている。このような特徴を有する本発明によれば、インシュレータがアウターハウジングの奥壁に一体に形成される。また、シールドターミナルがインシュレータのあるアウターハウジングの奥壁に差し込み固定される。本発明の同軸コネクタは、三つの部品で構成される。
【００１０】
請求項２記載の本発明の同軸コネクタは、請求項１に記載の同軸コネクタにおいて、前記固定用脚部を、前記貫通孔に対して圧入する構造とすることを特徴としている。このような特徴を有する本発明によれば、シールドターミナルがインシュレータのあるアウターハウジングの奥壁に圧入によって固定される。
【００１１】
請求項３記載の本発明の同軸コネクタは、請求項１又は請求項２に記載の同軸コネクタにおいて、前記貫通孔同士の間に存する連結部を、前記インシュレータの周囲に略均等に配置形成することを特徴としている。このような特徴を有する本発明によれば、成形時に溶融した合成樹脂材料がインシュレータの部分にスムーズに流れ込む。
【発明の効果】
【００１２】
請求項１に記載された本発明によれば、部品点数及び組み付け工数を削減することができるという効果を奏する。また、周波数特性を向上させることができるという効果を奏する。
【００１３】
請求項２に記載された本発明によれば、シールドターミナルの固定を容易にすることができるという効果を奏する。
【００１４】
請求項３に記載された本発明によれば、インシュレータの部分の成形性を向上させることができるという効果を奏する。
【発明を実施するための最良の形態】
【００１５】
以下、図面を参照しながら説明する。
図１は本発明の同軸コネクタの一実施の形態を示す図であり、（ａ）は正面図、（ｂ）は（ａ）のＡ−Ａ線断面図、（ｃ）は（ａ）のＢ−Ｂ線断面図である。また、図２は図１の同軸コネクタの図であり、（ａ）は平面図、（ｂ）は側面図、（ｃ）は背面図である。また、図３は図２（ｃ）のＣ視拡大図である。
【００１６】
図１ないし図３において、引用符号２１は本発明の同軸コネクタを示している。その本発明の同軸コネクタ２１は、図示のようにレセプタクルタイプとなるコネクタであって、奥壁２２にインシュレータ２３を一体に有するアウターハウジング２４、インシュレータ２３の中央に取り付けられるインナーターミナル２５、及びインシュレータ２３の周囲に取り付けられるシールドターミナル２６の三つの構成部材で構成されている。以下、各構成部材について説明する。
【００１７】
アウターハウジング２４は、合成樹脂材料を用いて成形される部材であって、平面視略直方体形状の本体部２７と、その本体部２７の左右両側に設けられる固定部２８、２８とを有しており、図示しないプリント基板の凹部に差し込まれた後にネジ止め固定されるようになっている。本体部２７は四つの側壁２９と上記奥壁２２とを有しており、前方が開口する箱形状に形成されている。引用符号３０は図示しない相手側同軸コネクタを差し込み可能とする開口部を示している。
【００１８】
本体部２７における上側の側壁２９ａの内側には、図示しない相手側同軸コネクタとの嵌合係止がなされるロック部３１が形成されている。また、ロック部３１の左右両側には、図示しない相手側同軸コネクタを案内するための凹状のガイド３２、３２が形成されている。本体部２７における左右側の側壁２９ｂ、２９ｂ及び下側の側壁２９ｃの各内側には、図示しない相手側同軸コネクタを案内するための凸及び凹状のガイド３３、３４が複数形成されている。上記左右側の側壁２９ｂ、２９ｂの各外側には、固定部２８、２８が連成されている。
【００１９】
奥壁２２には、上述の如く、インシュレータ２３が一体に形成されている。インシュレータ２３は、奥壁２２の中央に円形状に形成されている。インシュレータ２３は、インナーターミナル２５とシールドターミナル２６との間に介在してこれらを絶縁状態にする機能を有している。このようなインシュレータ２３の中央には、インナーターミナル２５が取り付けられるようになっている。また、インシュレータ２３の周囲には、シールドターミナル２６が取り付けられるようになっている。
【００２０】
インナーターミナル２５の取り付けは、圧入又はインサート成形のいずれかによりなされている。また、シールドターミナル２６の取り付けは、インシュレータ２３の周囲に形成される複数の貫通孔３５、３６を用いてなされている。
【００２１】
インシュレータ２３は、複数の貫通孔３５、３６の間に形成される複数の連結部３７によって奥壁２２と連続するように形成されている。尚、ここで補足すると、複数の貫通孔３５、３６の配置、言い換えれば複数の連結部３７の配置は、インシュレータ２３の周囲に略均等となるように配置形成されている。すなわち、インシュレータ２３の成形性を向上させるためにこのような配置が採用されている（成形時の樹脂流れがよくなる）。
【００２２】
インナーターミナル２５は、導電性を有する金属製のピン状の部材であって、前方接続部２５ａと固定部２５ｂと後方接続部２５ｃとを有している。前方接続部２５ａは、図示しない相手側同軸コネクタのインナーターミナルに接触して電気的な接続がなされるように形成されている。固定部２５ｂは、インシュレータ２３の中央で固定されるように形成されている。後方接続部２５ｃは、図示しないプリント基板の回路に接続されるように形成されている。
【００２３】
シールドターミナル２６は、導電性を有する金属製の部材であって、円筒状の前方接続部２６ａと、前方接続部２６ａの後部に連成される複数の固定用脚部２６ｂと、同じく前方接続部２６ａの後部に連成される複数の後方接続部２６ｃとを有している。前方接続部２６ａの外側は、図示しない相手側同軸コネクタのシールドターミナルに接触して電気的な接続がなされるように形成されている。また、前方接続部２６ａの内側後部は、インシュレータ２３によって保持されるように形成されている。
【００２４】
固定用脚部２６ｂは、貫通孔３５に差し込まれて、その貫通孔３５において圧入状態となるように形成されている。固定用脚部２６ｂは、シールドターミナル２６の固定を行うために形成されている。尚、固定用脚部２６ｂは、圧入固定に限らず、貫通孔３５から後方へ突出させて折り曲げによる固定をすることも可能であるものとする（圧入固定の方が組み付け性がよく好ましい）。
【００２５】
後方接続部２６ｃは、貫通孔３６に差し込まれて、その貫通孔３６から後方へ突出するとともに、図示しないプリント基板のグランド部に接続されるように形成されている。後方接続部２６ｃは、インナーターミナル２５の後方接続部２５ｃの左右両側に位置するように配置形成されている。後方接続部２６ｃは、特許請求の範囲に記載した外部接続端子に相当する。
【００２６】
以上、図１ないし図３を参照しながら説明してきたように、インシュレータ２３を一体に有するアウターハウジング２４、インナーターミナル２５、及びシールドターミナル２６の三つの構成部材で本発明の同軸コネクタ２１を構成することから、従来よりも部品点数及び組み付け工数を削減することができるという効果を奏する。また、部品点数を従来よりも少なくしたことから、寸法公差の積み上げによるアウターハウジング２４とインナーターミナル２５との位置ズレも最小に止めることが可能で、その結果、周波数特性を向上させることができるという効果を奏する。さらに、インシュレータ２３を一体にすることから、アウターハウジング２４との間のガタツキ発生を無くし、その結果、この場合でも周波数特性を向上させることができるという効果を奏する。さらにまた、上記構成及び構造であることから、安価に提供することができるという効果を奏する。
【００２７】
その他、本発明は本発明の主旨を変えない範囲で種々変更実施可能なことは勿論である。
【図面の簡単な説明】
【００２８】
【図１】本発明による同軸コネクタの一実施の形態を示す図であり、（ａ）は正面図、（ｂ）は（ａ）のＡ−Ａ線断面図、（ｃ）は（ａ）のＢ−Ｂ線断面図である。
【図２】図１の同軸コネクタの図であり、（ａ）は平面図、（ｂ）は側面図、（ｃ）は背面図である。
【図３】図２（ｃ）のＣ視拡大図である。
【図４】従来例のプラグタイプの同軸コネクタの断面図である。
【図５】従来例のレセプタクルタイプの同軸コネクタの分解斜視図である。
【図６】図５の同軸コネクタの変形例を示す分解斜視図である。
【符号の説明】
【００２９】
２１  同軸コネクタ
２２  奥壁
２３  インシュレータ
２４  アウターハウジング
２５  インナーターミナル
２５ａ  前方接続部
２５ｂ  固定部
２５ｃ  後方接続部
２６  シールドターミナル
２６ａ  前方接続部
２６ｂ  固定用脚部
２６ｃ  後方接続部（外部接続端子）
２７  本体部
２８  固定部
２９  側壁
３０  開口部
３１  ロック部
３２、３３、３４  ガイド
３５、３６  貫通孔
３７  連結部
【図１】
2005285553.tif 000003
【図２】
2005285553.tif 000004
【図３】
2005285553.tif 000005
【図４】
2005285553.tif 000006
【図５】
2005285553.tif 000007
【図６】
2005285553.tif 000008